(57)【要約】      （修正有）【課題】送塵レバーを運転席側から容易に操作できるものとしながら、この送塵レバーを備えた扱胴カバーを円滑に開放できるコンバインを提供する。【解決手段】開閉ハンドルの上下操作で扱胴カバー１２のロックを解除し、扱胴カバー１２をフィードチェンの上側の挟持レールと一体で上下に揺動開閉可能とする機構と、扱室内の送塵弁の角度を調節可能とする機構を備え、送塵弁の送り角度を調節する送塵レバー１５を、脱穀部４の右側機枠側板に装着した排出オーガ９のオーガ受け部１０と、扱胴カバー１２の左側前端部に装着したバックミラー１４との間での位置において、扱胴カバー１２の上面から前方に延出して運転席７側から操作可能に設け、且つ、この送塵レバー１５を、扱胴カバー１２を上方に揺動させて開放した状態でオーガ受け部１０と干渉しない形状に折り曲げて形成する。【選択図】図２
2019110837.tif 000002
【特許請求の範囲】
【請求項１】
開閉ハンドル（１３）の上下操作により脱穀部（４）の扱胴カバー（１２）のロックを解除し、この扱胴カバー（１２）をフィードチェン（５）の上側に対向する挟持レール（６）と一体で上下に揺動開閉可能とする機構と、脱穀部（４）に備えた扱室内の送塵弁の角度を調節可能とする機構を備えたコンバインにおいて、
前記送塵弁の角度を調節する送塵レバー（１５）を、脱穀部（４）の右側機枠側板に装着した排出オーガ（９）のオーガ受け部（１０）と、扱胴カバー（１２）の左側前端部に装着したバックミラー（１４）との間の位置において、扱胴カバー（１２）の上面から前方に延出して運転席（７）側から操作可能に設け、且つ、この送塵レバー（１５）を、前記扱胴カバー（１２）を上方に揺動させて開放した状態で前記オーガ受け部（１０）と干渉しない形状に折り曲げて形成したことを特徴とするコンバイン。
【請求項２】
前記オーガ受け部（１０）の近傍であって、前記扱胴カバー（１２）を開放した状態で前記送塵レバー（１５）が接触しない位置に、エアクリーナ（１７）を設置してある請求項１記載のコンバイン。
【請求項３】
前記送塵レバー（１５）は、この送塵レバー（１５）の回動支点（１６）に近い基部側の部位を弾性部材とし、先端部分を剛性部材で構成してある請求項１又は請求項２記載のコンバイン。
【請求項４】
前記送塵レバー（１５）は、前上がり傾斜姿勢で設けられる請求項１又は請求項２又は請求項３記載のコンバイン。
【請求項５】
前記挟持レール（６）には、前記扱胴カバー（１２）を閉じる側に押し下げ操作するための補助ハンドル（１８）を設けてある請求項１から請求項４のいずれか一項に記載のコンバイン。
【発明の詳細な説明】
【技術分野】
【０００１】
この発明は、扱室内の送塵弁を調節する送塵弁調節機構と扱胴カバー開閉機構を備えたコンバインに関する。
【背景技術】
【０００２】
従来、扱室内の送塵弁を調節する送塵弁調節機構及び扱胴カバーを扱胴と共に揺動開閉する機構を備えたコンバインは知られている（例えば、特許文献１参照）。
【先行技術文献】
【特許文献】
【０００３】
【特許文献１】特開２００３―２３５３３１号公報
【発明の概要】
【発明が解決しようとする課題】
【０００４】
しかしながら、上記従来技術では、送塵弁を調節する操作レバーは、扱室の天板より上側に配置され、後方に向けて突出して設けられ、その上部は機体上カバーによって被覆されているので、運転席側から操作できないという問題がある。
【０００５】
本発明は、扱胴カバーの上側に送塵レバーを配置するものでありながら、この送塵レバーを前方に延出して、運転席側から操作できるようにし、扱胴カバーを上方に押し開けてオープンしても、送塵レバーを排出オーガを受けるオーガ受け部と接触しない形状にすることで、オーガ受け部の有効な配置位置を変えることなく、そのままの位置を維持しながら、扱胴カバーのオープンを支障なくスムーズに行えるコンバインを提供することを目的とする。
【課題を解決するための手段】
【０００６】
この発明は、上記課題を解決すべく次のような技術的手段を講じた。
【０００７】
すなわち、請求項１記載の発明は、開閉ハンドル（１３）の上下操作により脱穀部（４）の扱胴カバー（１２）のロックを解除し、この扱胴カバー（１２）をフィードチェン（５）の上側に対向する挟持レール（６）と一体で上下に揺動開閉可能とする機構と、脱穀部（４）に備えた扱室内の送塵弁の角度を調節可能とする機構を備えたコンバインにおいて、
前記送塵弁の角度を調節する送塵レバー（１５）を、脱穀部（４）の右側機枠側板に装着した排出オーガ（９）のオーガ受け部（１０）と、扱胴カバー（１２）の左側前端部に装着したバックミラー（１４）との間の位置において、扱胴カバー（１２）の上面から前方に延出して運転席（７）側から操作可能に設け、且つ、この送塵レバー（１５）を、前記扱胴カバー（１２）を上方に揺動させて開放した状態で前記オーガ受け部（１０）と干渉しない形状に折り曲げて形成したことを特徴とする。
【０００８】
請求項２記載の発明は、請求項１において、前記オーガ受け部（１０）の近傍であって、前記扱胴カバー（１２）を開放した状態で前記送塵レバー（１５）が接触しない位置に、エアクリーナ（１７）を設置してあることを特徴とする。
【０００９】
請求項３記載の発明は、請求項１又は請求項２において、前記送塵レバー（１５）は、この送塵レバー（１５）の回動支点（１６）に近い基部側の部位を弾性部材とし、先端部分を剛性部材で構成してあることを特徴とする。
【００１０】
請求項４記載の発明は、請求項１又は請求項２又は請求項３において、前記送塵レバー（１５）は、前上がり傾斜姿勢で設けられることを特徴とする。
【００１１】
請求項５記載の発明は、請求項１から請求項４の何れか１項において、前記挟持レール（６）には、前記扱胴カバー（１２）を閉じる側に押し下げ操作するための補助ハンドル（１８）を設けてあることを特徴とする。
【発明の効果】
【００１２】
請求項１記載の発明によれば、送塵レバーは、オーガ受け部とバックミラーとの間で自由に調整操作することができ、扱胴カバーの開放によって、扱胴カバーがオーガ受け部側に傾斜して近づいても、送塵レバーの折り曲げ形状によってオーガ受け部の支持フレームに接触して支障をきたすことがなく、扱胴カバーの開放操作を円滑に行うことができる。
【００１３】
請求項２記載の発明によれば、請求項１記載の発明の効果に加えて、エアクリーナを塵埃の少ない高い位置に配置でき、扱胴カバーを開放しても送塵レバーの接触による障害を受けることがない。
【００１４】
請求項３記載の発明によれば、請求項１又は請求項２記載の発明の効果に加えて、送塵レバーの基端側は弾性部材であるため、上下方向に負荷がかかっても弾性変形して破損せず、先端部分は剛性部材であるため、レバーを前方に伸ばした状態でも、操作を円滑に行うことができる。
【００１５】
請求項４記載の発明によれば、請求項１又は請求項２又は請求項３記載の発明の効果に加えて、送塵レバーは前上がり傾斜姿勢で設けられているため、運転席側からの操作が行い易くなる。
【００１６】
請求項５記載の発明によれば、請求項１から請求項４のいずれか一項に記載の発明の効果に加えて、扱胴カバーを閉じる際、開閉ハンドルよりも低い位置にある補助ハンドルをもって押し下げることができ、扱胴カバーの閉じ操作を低い位置から容易に行うことができる。
【図面の簡単な説明】
【００１７】
【図１】コンバインの平面図
【図２】コンバインの正面図
【図３】扱胴カバーの開放位置を仮想線で示すコンバインの正面図
【図４】脱穀装置の説明用側面図
【図５】コンバインの側面図
【図６】別実施例のコンバインの平面図
【発明を実施するための形態】
【００１８】
この発明の実施例を図面に基づき説明する。
【００１９】
コンバインは、主として立毛穀稈を刈り取って搬送する走行クローラ２を具備した車体１前部の刈取部３と、刈取部３から搬送供給される穀稈を脱穀処理する車体後部の脱穀装置（脱穀部）４とからなる。
【００２０】
刈取部３は、車体１の走行フレームから上方に突設した刈取懸架台に対して刈取入力軸芯周りに上下昇降可能で前後方向に沿わせて設けた刈取支持フレーム３Ａに装備している。刈取部３からの刈取搬送穀稈は、前記脱穀部４に供給し脱穀フィードチェン５と上側に対設する挟持レール６との間に受け継がせるように構成している。
【００２１】
また、前記刈取部３の右側には運転者が搭乗する運転席７が設けられ、その後側には、脱穀選別処理された穀粒を貯留するグレンタンク８が設置され、グレンタンク内の穀粒は排出オーガ９によって外部に排出されるようになっている。
【００２２】
脱穀部４の右側機枠部には、排出オーガ９を受けて収納保持するオーガ受け部１０が支持フレーム１１によって強固に連結保持されている。
【００２３】
脱穀装置４の扱胴の上部を覆う扱胴カバー１２は、挟持レール６と一体となって揺動開閉するようになっており、開閉ハンドル１３を上げ操作すると、ロックが解除されて上方に揺動してオープン（開放）する。
【００２４】
扱胴カバー１２の左側前端部にはバックミラー１４が支持ステー１４ａを介して装着されている。また、扱胴カバー１２の上部には、オーガ受け部１０とバックミラー１４との間に位置して運転席７側から操作可能な送塵レバー１５が設けられている。
【００２５】
送塵レバー１５は、支軸１６を中心とする左右方向の回動操作で、扱室内の送塵弁の送り角を任意調整するようになっている。また、送塵レバー１５の形状は、扱胴カバー１２をオープンしてもオーガ受け部１０の支持フレーム１１に干渉しないように平面視で略Ｚ字型に屈曲（折り曲げ）形成されている。
【００２６】
送塵レバー１５の基部側は、バネ材（弾性部材）で構成し、特に上下方向の負荷に対しては柔軟に対処でき、先端側は丸棒（剛性部材）で強固に構成されている。また、送塵レバー１５の先端側は、側面視で前方側ほど上方に高くなるよう傾斜状に構成され、運転席７側からの操作が容易にできるようになっている。
【００２７】
なお、扱胴カバー１２には、送塵レバー１５の爪が係合する溝を設けて、左右方向の回動調整後の位置を保持するようになっている。
【００２８】
オーガ受け部１０の支持フレーム１１の右側近傍で、送塵レバー１５に干渉されない位置にエアクリーナ１７が前後方向に沿わせて設置されている。
【００２９】
挟持レール６には、オープンした扱胴カバー１２を閉じる際、下方に押し下げる又は引き下げる補助ハンドル１８が設けられ、開閉ハンドル１３よりも低い位置から扱胴カバー１２を簡単に閉じることができる。
【００３０】
挟持レール６の始端側に補助ハンドル１８を設けた場合、フィードチェン５と挟持レール６との間に設けた刈取部３からの引継ぎガイド１９が挟持レール６の外側に外れても、その補助ハンドル１８によって係止することができる。
【００３１】
なお、図１に示すように、補助ハンドル１８をフィードチェン５後部から排藁チェン２０との引継ぎ部手前まで設け、そして、補助ハンドル１８の後端は排藁チェンの角度と略平行な角度となるよう構成することで、藁の層厚が厚い場合、フィードチェンの外側で藁が膨らんで引継ぎ部で抵抗になるのを緩和することができる。
【００３２】
図４に示す脱穀装置の説明用側面図では、扱室からの穀物をふるい選別する揺動選別棚として、上手側から移送棚２３、ラック棚２４、チャフシーブ２５、ストローラック２６の順に配置し、チャフシーブ２５と下方のグレンシーブ(選別網)２７との間に流下棚２８と移送ラック板２９を設け、移送ラック板２９とグレンシーブ２７との間には唐箕３１からの選別風を流す通風口３０を開口している。グレンシーブ２７を通過した風と、通風口３０から直接チャフシーブに作用する風により選別性能が向上する。
【００３３】
移送ラック板２９とグレンシーブ２７が上下にラップする構成とすることで、グレンシーブ前側からの稈切れ等の落下が発生しにくい。
【００３４】
グレンシーブ２７の傾斜角度は、チャフシーブ２５の角度より大きくして、グレンシーブ２７とチャフシーブ２５の空間（間隔）を前側が後側より大きくなるように構成することで、多収量品種時にも前側空間が大きいため、選別作用が充分行える。
【００３５】
ラック棚２４下方のシーブ隙間Ｌを他のシーブ隙間ｌより大きくし、シーブの隙間を大きくした箇所の下方にはグレンシーブ２７との間に移送ラック板２９を設けた構成としている。従って、処理能力が向上するものでありながら。選別性能を高く維持することができる。
【００３６】
なお、扱室内に排塵を送る送塵弁を備えたコンバインにおいて、手扱ぎモードと連動した送塵を制御する構成とする。すなわち、手扱ぎモードに入ると、送塵弁は送りを抑える側に作動し、手扱ぎモードが終わると送塵弁は送り側に作動するよう制御する。これによると、手扱ぎ時には、機体は長時間停止していて、ロスが目立つため、送塵弁での送りを抑制し、籾を受網で早く回収することで、ロスを低減することができる。
【００３７】
また、唐箕とシーブと連動した送塵を制御する構成、つまり、唐箕が強い側に且つシーブが開く側に制御すると、送塵弁は送り側に作動し、唐箕が弱い側で且つシーブが閉じる側に制御すると、送塵弁は送りを抑える側に作動するよう制御する。これによると、多条刈のコンバインでは、脱穀部に入ってくる稲の量が大きく変動するため、唐箕とシーブを調節制御して対応しているが、さらに送塵制御することで、馬力アップに頼らずに、処理量重視の調整ができ、飼料米などの多収量品種に自動で対応できる。
【符号の説明】
【００３８】
４    脱穀装置（脱穀部）
５    脱穀フィードチェン
６    挟持レール
７    運転席
９    排出オーガ
１０    オーガ受け部
１１    支持フレーム
１２    扱胴カバー
１３    開閉ハンドル
１４    バックミラー
１５    送塵レバー
１６    支軸
１７    エアークリーナ
１８    補助ハンドル
【図１】
2019110837.tif 000003
【図２】
2019110837.tif 000004
【図３】
2019110837.tif 000005
【図４】
2019110837.tif 000006
【図５】
2019110837.tif 000007
【図６】
2019110837.tif 000008